(57)【要約】【課題】デベロッパ及びテナントを含む事業者を対象としたＰＯＳシステムに関して、二重のデータ入力及び登録の手間を削減できる技術を提供する。【解決手段】ＰＯＳシステムは、デベロッパ側システム１とテナント側システム２とが接続され、テナント側のＰＯＳレジ端末２２は、入力装置２３からの入力データをテナント側の売上データＤ２として登録し、抽出部３１は、入力データから、デベロッパ側の必要データを抽出し、変換部３２は、抽出データｄ２を、デベロッパ側の形式に合わせるように変換し、通信部２２１は、変換データｄ３をデベロッパ側のＰＯＳレジ端末１２へ送信する。デベロッパ側のＰＯＳレジ端末１２は、変換データｄ３からデベロッパ側の売上データＤ１を得て登録する。【選択図】図３
2015114886.tif 000002
【特許請求の範囲】
【請求項１】
デベロッパＰＯＳシステムとテナントＰＯＳシステムとが接続されるＰＯＳシステムであって、
前記デベロッパＰＯＳシステムは、制御部、及び通信部を有し、
前記テナントＰＯＳシステムは、制御部、抽出部、及び通信部を有し、
前記テナントＰＯＳシステムの制御部は、入力装置からの入力データをテナント用のデータとして登録し、
前記テナントＰＯＳシステムの抽出部は、前記入力データから、前記デベロッパＰＯＳシステムに必要なデータを抽出し、
前記テナントＰＯＳシステムの通信部は、前記抽出後のデータを前記デベロッパＰＯＳシステムに送信し、
前記デベロッパＰＯＳシステムの通信部は、前記抽出後のデータを前記テナントＰＯＳシステムから受信し、
前記デベロッパＰＯＳシステムの制御部は、前記抽出後のデータをデベロッパ用のデータとして登録する、ＰＯＳシステム。
【請求項２】
請求項１記載のＰＯＳシステムにおいて、
前記テナントＰＯＳシステムは、変換部を有し、
前記テナントＰＯＳシステムの変換部は、当該テナントＰＯＳシステムのインタフェースを含む形式に応じた前記抽出後のデータを、前記デベロッパＰＯＳシステムのインタフェースを含む形式に合わせるように変換し、
前記テナントＰＯＳシステムの通信部は、前記変換後のデータを前記デベロッパＰＯＳシステムに送信する、ＰＯＳシステム。
【請求項３】
デベロッパＰＯＳシステムとテナントＰＯＳシステムとが接続されるＰＯＳシステムであって、
前記デベロッパＰＯＳシステムは、デベロッパＰＯＳレジ端末と、デベロッパサーバとを含み、
前記テナントＰＯＳシステムは、テナントＰＯＳレジ端末と、テナントサーバとを含み、
前記テナントサーバは、抽出部を含み、
前記テナントＰＯＳレジ端末は、入力装置からの入力データを、テナント用のデータとして、当該テナントＰＯＳレジ端末内または前記テナントサーバ内の少なくとも一方に登録し、
前記テナントサーバの抽出部は、前記入力データから、前記デベロッパＰＯＳシステムに必要なデータを抽出し、
前記テナントサーバは、前記抽出後のデータを前記デベロッパサーバに送信し、
前記デベロッパサーバは、前記抽出後のデータを前記テナントサーバから受信し、
前記デベロッパサーバは、前記抽出後のデータをデベロッパ用のデータとして、当該デベロッパサーバ内または前記デベロッパＰＯＳレジ端末内の少なくとも一方に登録する、ＰＯＳシステム。
【請求項４】
請求項３記載のＰＯＳシステムにおいて、
前記テナントサーバは、変換部を有し、
前記変換部は、前記テナントＰＯＳシステムのインタフェースを含む形式に応じた前記抽出後のデータを、前記デベロッパＰＯＳシステムのインタフェースを含む形式に合わせるように変換し、
前記テナントサーバは、前記変換後のデータを前記デベロッパサーバに送信する、ＰＯＳシステム。
【請求項５】
デベロッパＰＯＳシステムとテナントＰＯＳシステムとが接続されるＰＯＳシステムであって、
前記デベロッパＰＯＳシステムは、制御部、抽出部、及び通信部を有し、
前記テナントＰＯＳシステムは、制御部、及び通信部を有し、
前記デベロッパＰＯＳシステムの制御部は、入力装置からの入力データをデベロッパ用のデータとして登録し、
前記デベロッパＰＯＳシステムの抽出部は、前記入力データから、前記テナントＰＯＳシステムに必要なデータを抽出し、
前記デベロッパＰＯＳシステムの通信部は、前記抽出後のデータを前記テナントＰＯＳシステムに送信し、
前記テナントＰＯＳシステムの通信部は、前記抽出後のデータを前記デベロッパＰＯＳシステムから受信し、
前記テナントＰＯＳシステムの制御部は、前記抽出後のデータをテナント用のデータとして登録する、ＰＯＳシステム。
【請求項６】
請求項５記載のＰＯＳシステムにおいて、
前記デベロッパＰＯＳシステムは、変換部を有し、
前記デベロッパＰＯＳシステムの変換部は、当該デベロッパＰＯＳシステムのインタフェースを含む形式に応じた前記抽出後のデータを、前記テナントＰＯＳシステムのインタフェースを含む形式に合わせるように変換し、
前記デベロッパＰＯＳシステムの通信部は、前記変換後のデータを前記テナントＰＯＳシステムに送信する、ＰＯＳシステム。
【請求項７】
デベロッパＰＯＳシステムとテナントＰＯＳシステムとが接続されるＰＯＳシステムであって、
前記デベロッパＰＯＳシステムは、制御部、変換部、及び通信部を有し、
前記テナントＰＯＳシステムは、制御部、抽出部、及び通信部を有し、
前記テナントＰＯＳシステムの制御部は、入力装置からの入力データをテナント用のデータとして登録し、
前記テナントＰＯＳシステムの抽出部は、前記入力データから、前記デベロッパＰＯＳシステムに必要なデータを抽出し、
前記テナントＰＯＳシステムの通信部は、前記抽出後のデータを前記デベロッパＰＯＳシステムに送信し、
前記デベロッパＰＯＳシステムの通信部は、前記抽出後のデータを前記テナントＰＯＳシステムから受信し、
前記デベロッパＰＯＳシステムの制御部は、前記抽出後のデータをデベロッパ用のデータとして登録する、ＰＯＳシステム。
【請求項８】
請求項１記載のＰＯＳシステムにおいて、
前記入力データは、売上データ登録のためのキー入力データを含む、ＰＯＳシステム。
【請求項９】
請求項２記載のＰＯＳシステムにおいて、
前記デベロッパＰＯＳシステムは、デベロッパＰＯＳレジ端末を含み、
前記デベロッパＰＯＳレジ端末は、前記デベロッパ用のデータの登録に伴い、当該データに対応したレシートを出力装置から出力する、ＰＯＳシステム。
【発明の詳細な説明】
【技術分野】
【０００１】
本発明は、ＰＯＳ（Point Of Sales）システムの技術に関する。
【背景技術】
【０００２】
ショッピングセンター、モール、デパート、及び駅ビル等の空間や施設の開発及び運営等を行う事業者であるデベロッパ、及び、当該施設内の区画や店舗に賃貸借契約に基づき入居して営業する飲食店や服飾店等の事業者であるテナントを有する。デベロッパ及びテナントのそれぞれの事業者は、売上げ等の管理のためにＰＯＳシステムを利用する。
【０００３】
テナントの事業者は、自社向けの販売管理等のために、テナント側のＰＯＳシステムに、詳細情報を含む売上データ等を登録する必要がある。テナントの事業者は、テナント側のＰＯＳシステム及び自社情報処理システム等への上記データの登録により、自社及び自店舗での商品単品毎の売上や購買顧客属性等を含む詳細を把握し、経営に活用したい。
【０００４】
また一方、テナントの事業者は、デベロッパ側のＰＯＳシステムに、当該テナントの売上データ等を登録する必要がある。デベロッパの事業者は、各テナントの売上等を確認、把握、及び管理等するために、デベロッパ側のＰＯＳシステムに当該テナントの売上データ等を登録する。デベロッパによるテナントの売上の確認等のため、金銭授受やドロワ管理はデベロッパ側のＰＯＳシステムで先に行われ、当該ＰＯＳシステムでレシートが出力される。またデベロッパは、登録した各テナントの売上データ等に基づいて、各テナントへの配分や賃貸料等を算出及び決定している。デベロッパは、各テナントの売上を正しく管理する必要がある。
【０００５】
上記のような背景から、従来、テナント店舗内には、デベロッパ側のＰＯＳレジ端末等のシステムと、テナント側のＰＯＳレジ端末等のシステムとが設置されている。そして上記のように、デベロッパ側及びテナント側の両方のシステムに、売上データ等の入力及び登録が行われている。テナントの店員は、顧客の商品購買の会計時等に、売上データ等を、デベロッパ側及びテナント側で二重に入力する作業が必要であった。特に、テナントは、デベロッパによりテナントの売上等を確認及び把握する必要から、先にデベロッパ側のＰＯＳシステムに売上データ等を登録し、その後にテナント側のＰＯＳシステムに売上データ等を登録する必要があった。
【０００６】
上記ＰＯＳシステムに関する先行技術例として、特許第３７５６４７９号公報（特許文献１）が挙げられる。特許文献１は、ＰＯＳシステムの構成例が記載されている。
【先行技術文献】
【特許文献】
【０００７】
【特許文献１】特許第３７５６４７９号公報
【発明の概要】
【発明が解決しようとする課題】
【０００８】
デベロッパ及びテナントの事業に関して、従来一般的なＰＯＳシステムを適用した場合、上述のように、デベロッパ側のＰＯＳシステムとテナント側のＰＯＳシステムとで二重に売上データ等を入力及び登録する作業が必要であった。
【０００９】
上記データ入力及び登録に関して、テナントの店員等の人の作業量が多く、大きな手間及び長い時間を要しており、効率性に改善余地がある。
【００１０】
また、デベロッパ側及びテナント側のＰＯＳシステムに対して二重にデータを入力する作業が必要であるため、データ入力の人的なミスの可能性があった。例えばデベロッパ側及びテナント側の両者へのデータ入力内容として同じデータを入力すべき所で違うデータを入力してしまうミスが発生する可能性があった。データ入力のミスにより、デベロッパ側及びテナント側の両者の売上データ等の登録内容に違い及び誤りが発生してしまう。
【００１１】
また、デベロッパ側とテナント側との各ＰＯＳシステムでは、必要なデータ及び情報に違いがある。言い換えると、デベロッパ側の登録データとテナント側の登録データとでは同じデータ部分と違うデータ部分とがある。デベロッパ側は、自社向けの登録データとしては、テナント側の登録データのような詳細情報を含む売上データ等は必要ではなく、例えば部門単位ないし商品区分単位等の大まかな売上データで十分である場合が多い。
【００１２】
上記両者の登録データに違いがあるが、同じデータ部分については同じデータを二重に入力している冗長性があった。違うデータ部分についてはデベロッパ側の登録データとして余分なデータを入力している無駄があった。デベロッパ側とテナント側とのそれぞれの必要データに応じたデータ入力内容を間違える可能性があった。
【００１３】
また、デベロッパ側のＰＯＳシステムと、テナント側のＰＯＳシステムとにおいて、ＰＯＳレジ端末の型式、操作方法、キー入力等の入出力インタフェース、通信インタフェース、等のインタフェースや形式が異なる場合も多い。その場合、上記二重のデータ登録の作業時に、各ＰＯＳシステムの形式に応じたデータ入力の作業が必要であり、キー入力の打ち間違い等のミスも発生しやすい。
【００１４】
上記のようにデベロッパ側とテナント側とで登録データの違い及び誤りが発生した場合、両者の売上金額等の情報において違いや矛盾が発生する可能性が高い。その場合、両者の登録データ内容の確認や修正のための作業が必要となるので、更に手間等を要する。
【００１５】
従来例のＰＯＳシステムは、上記デベロッパ側とテナント側との必要データの違い等に対応できる手段や機能を備えていない。よって、テナント店舗ではデベロッパ側及びテナント側の両者のＰＯＳシステムを設け、二重のデータ入力の作業が必要であった。
【００１６】
本発明の目的は、上記デベロッパ及びテナントを含む事業者を対象としたＰＯＳシステムに関して、上記二重のデータ入力及び登録の手間を削減でき、時間を短縮でき、人的なミスを低減でき、効率的な管理を実現できる技術を提供することである。
【課題を解決するための手段】
【００１７】
本発明のうち代表的な実施の形態は、ＰＯＳシステムであって、以下に示す構成を有することを特徴とする。
【００１８】
（１）  一実施の形態のＰＯＳシステムは、デベロッパＰＯＳシステムとテナントＰＯＳシステムとが接続されるＰＯＳシステムであって、前記デベロッパＰＯＳシステムは、制御部、及び通信部を有し、前記テナントＰＯＳシステムは、制御部、抽出部、及び通信部を有し、前記テナントＰＯＳシステムの制御部は、入力装置からの入力データをテナント用のデータとして登録し、前記テナントＰＯＳシステムの抽出部は、前記入力データから、前記デベロッパＰＯＳシステムに必要なデータを抽出し、前記テナントＰＯＳシステムの通信部は、前記抽出後のデータを前記デベロッパＰＯＳシステムに送信し、前記デベロッパＰＯＳシステムの通信部は、前記抽出後のデータを前記テナントＰＯＳシステムから受信し、前記デベロッパＰＯＳシステムの制御部は、前記抽出後のデータをデベロッパ用のデータとして登録する。
【００１９】
（２）  上記（１）のＰＯＳシステムにおいて、前記テナントＰＯＳシステムは、変換部を有し、前記テナントＰＯＳシステムの変換部は、当該テナントＰＯＳシステムのインタフェースを含む形式に応じた前記抽出後のデータを、前記デベロッパＰＯＳシステムのインタフェースを含む形式に合わせるように変換し、前記テナントＰＯＳシステムの通信部は、前記変換後のデータを前記デベロッパＰＯＳシステムに送信する。
【発明の効果】
【００２０】
本発明のうち代表的な実施の形態によれば、上記デベロッパ及びテナントを含む事業者を対象としたＰＯＳシステムに関して、上記二重のデータ入力及び登録の手間を削減でき、時間を短縮でき、人的なミスを低減でき、効率的な管理を実現できる。
【図面の簡単な説明】
【００２１】
【図１】本発明の実施の形態１のＰＯＳシステムの全体の構成を示す図である。
【図２】実施の形態１のＰＯＳシステムの各ＰＯＳレジ端末のコンピュータとしての構成を示す図である。
【図３】実施の形態１のＰＯＳシステムの機能ブロックの構成を示す図である。
【図４】実施の形態１のＰＯＳシステムの主な処理のフローを示す図である。
【図５】実施の形態１のテナント側のＰＯＳレジ端末の実装、処理、及びデータの構成例を示す図である。
【図６】実施の形態１のＰＯＳシステムの利用時の作業を示す図である。
【図７】実施の形態１のＰＯＳシステムの動作及び処理のシーケンスを示す図である。
【図８】実施の形態２のＰＯＳシステムの機能ブロックの構成を示す図である。
【図９】実施の形態３のＰＯＳシステムの機能ブロックの構成を示す図である。
【図１０】従来例のＰＯＳシステムの利用時の作業を示す図である。
【図１１】従来例のＰＯＳシステムの動作及び処理のシーケンスを示す図である。
【発明を実施するための形態】
【００２２】
以下、本発明の実施の形態を図面に基づいて詳細に説明する。なお実施の形態を説明するための全図において同一部には原則として同一符号を付しその繰り返しの説明は省略する。
【００２３】
本実施の形態のＰＯＳシステムは、第１の事業者であるデベロッパと、第２の事業者であるテナントとを適用対象とする。デベロッパにより開発及び運営等される、ショッピングセンター、モール、デパート、及び駅ビル等の空間ないし施設において、複数の各々のテナントとして入店する事業者がある。
【００２４】
本実施の形態のＰＯＳシステムは、デベロッパによるショッピングセンター等の施設内のテナント店舗内のＰＯＳシステムにおける、デベロッパ側とテナント側との間での売上データ等の入力、登録、及び管理に関する新しい方式を提供する。
【００２５】
本実施の形態のＰＯＳシステムは、デベロッパ側のＰＯＳレジ端末を含むＰＯＳシステムとテナント側のＰＯＳレジ端末を含むＰＯＳシステムとを含んで構成され、それらが連携する。本実施の形態のＰＯＳシステムは、テナント側のＰＯＳシステムから売上データの入力が行われると、自動的に、デベロッパ側のＰＯＳシステムで必要なデータが抽出され、デベロッパ側のＰＯＳシステムの形式に対応したデータに変換され、デベロッパ側のＰＯＳシステムへ送信され、デベロッパ側のＰＯＳシステムに当該売上データが登録される。
【００２６】
本実施の形態のＰＯＳシステムは、テナント側のＰＯＳレジ端末からデベロッパ側のＰＯＳレジ端末に対して、テナント側の入力データからデベロッパ側の必要データを抽出し、当該データをデベロッパ側の形式に合わせるように変換して、デベロッパ側のＰＯＳレジ端末へ送信する手段を設ける。当該手段は、図１のテナント側のＰＯＳレジ端末２２の抽出部３１及び変換部３２に対応する。
【００２７】
本実施の形態のＰＯＳシステムは、従来例のＰＯＳシステムに比べて、二重のデータ入力及び登録の作業が不要である。本実施の形態のＰＯＳシステムは、デベロッパ側及びテナント側のＰＯＳシステムの一方のみ、即ちテナント側のＰＯＳレジ端末へのデータ入力のみによって、デベロッパ側及びテナント側の両者の売上データ登録ができる。
【００２８】
＜従来例＞
図１０は、従来例のデベロッパ及びテナントのＰＯＳシステムにおける利用時の作業を示す。デベロッパによるショッピングセンター等の施設において、第１テナント店舗、第２テナント店舗、等の複数のテナント店舗を含む。第１テナント店舗は、デベロッパ側のＰＯＳレジ端末と、テナント側のＰＯＳレジ端末とが設置されている。テナント側のＰＯＳレジ端末は、１台以上が設置されている。
【００２９】
テナントの店員は、顧客の商品購買の会計の際、まずデベロッパ側のＰＯＳレジ端末で金銭授受及びドロワ管理をしつつ、売上データ登録を行い、レシートが出力される。その後、店員は、テナント側のＰＯＳレジ端末で同様に、詳細情報を含む売上データ登録を行う。第２テナント店舗等も第１テナント店舗と同様の構成で同様の作業が行われる。
【００３０】
図１１は、図１０に対応した、従来例のＰＯＳシステムの動作及び処理のシーケンスを示す。S101等はステップを表す。
【００３１】
（S101）  まずデベロッパ側システムのＰＯＳレジ端末において、テナントの店員の手動の操作により、入力装置から、売上データに対応するキー入力データが入力される。
【００３２】
（S102）  デベロッパ側のＰＯＳレジ端末は、キー入力データに基づいて、デベロッパ側の売上データの登録を含むデータ処理を行う。
【００３３】
（S103）  デベロッパ側のＰＯＳレジ端末は、登録された売上データに対応するレシートを出力する。
【００３４】
（S104）  次にテナント側システムのＰＯＳレジ端末において、同様に、テナントの店員の手動の操作により、入力装置から、売上データに対応するキー入力データが入力される。
【００３５】
（S105）  テナント側のＰＯＳレジ端末は、キー入力データに基づいて、テナント側の売上データの登録を含むデータ処理を行う。
【００３６】
（S103）  デベロッパ側のＰＯＳレジ端末は、登録された売上データに対応するレシートを出力する。
【００３７】
上記のように、従来例のＰＯＳシステムは、テナント店舗における売上データの入力及び登録の作業が、デベロッパ側及びテナント側のＰＯＳシステムの両者で二重に必要であるため、手間が大きい。
【００３８】
なお他の従来例のＰＯＳシステムとして、先にテナント側のＰＯＳシステムからデータ入力及び登録が行われ、その後にデベロッパ側のＰＯＳシステムにデータ入力及び登録が行われる場合もあり得る。この場合も、デベロッパ側及びテナント側で二重のデータ入力等の手間を要している。
【００３９】
＜実施の形態１＞
図１〜図７を用いて、実施の形態１のＰＯＳシステムについて説明する。実施の形態１のＰＯＳシステムは、図１や図３のように、テナント側のＰＯＳレジ端末２２に抽出部３１及び変換部３２を設け、キー入力データから抽出部３１によりデベロッパ側の必要なデータを抽出し、変換部３２によりデベロッパ側の形式に対応したデータへ変換する。そしてテナント側からデベロッパ側のＰＯＳレジ端末１２へ当該データを送信する。
【００４０】
［システム構成（１）］
図１は、実施の形態１のＰＯＳシステムの全体の構成を示す。実施の形態１のＰＯＳシステムは、デベロッパ側システム１と、テナント側システム２とが通信手段３で接続される構成である。通信手段３は例えば無線ＬＡＮである。
【００４１】
デベロッパ側システム１は、ＰＯＳシステムを含む情報処理システムであり、サーバ１１と、ＰＯＳレジ端末１２とが通信手段３で接続される。サーバ１１は、デベロッパの事業者の売上データ等を管理する。デベロッパ担当者は、端末からサーバ１１にアクセスしてデベロッパの売上データ等を参照する。
【００４２】
テナント側システム２は、ＰＯＳシステムを含む情報処理システムであり、サーバ２１と、ＰＯＳレジ端末２２とが通信手段３で接続される。サーバ２１は、ストアコンピュータに相当し、テナントの事業者の売上データ等を管理する。テナント担当者は、端末からサーバ２１にアクセスしてテナントの売上データ等を参照する。
【００４３】
デベロッパ側のＰＯＳレジ端末１２は、制御部１２０、通信部１２１、入出力部１２２等を備え、入出力部１２２に対して入力装置１３及び出力装置１４が接続される。入力装置１３及び出力装置１４は、ＰＯＳレジ端末１２に内蔵されてもよい。入力装置１３は、スキャナやキーボード等を含む。スキャナ（リーダ等ともいう）は、店員の操作に基づいて、商品のバーコードの情報を読み取る。キーボードは、店員の操作に基づいて、キーボタンに応じた情報を入力する。出力装置１４は、表示器やプリンタを含む。表示器は液晶ディスプレイ等である。プリンタは、汎用のプリンタやレシートを出力するプリンタ等である。
【００４４】
テナント側のＰＯＳレジ端末２２は、制御部２２０、通信部２２１、入出力部２２２等に加え、抽出部３１、変換部３２を備え、入出力部２２２に対して入力装置２３及び出力装置２４が接続される。
【００４５】
抽出部３１は、実装例としては、ＰＯＳレジ端末２２の制御部２２０によるソフトウェアプログラム処理で実現される。変換部３２は、実装例としては、後述の図５のように、通信部２２１と一緒にマイコン等で実現される。抽出部３１及び変換部３２の詳細については後述する。
【００４６】
図２は、実施の形態１のデベロッパ側のＰＯＳレジ端末１２及びテナント側のＰＯＳレジ端末２２に対応したＰＯＳレジ端末４０におけるコンピュータとしてのハードウェアの構成を示す。なおデベロッパ側のサーバ１１及びテナント側のサーバ２１もＰＯＳレジ端末４０と同様の構成である。
【００４７】
ＰＯＳレジ端末４０は、ＣＰＵ４１、ＲＯＭ４２、ＲＡＭ４３、入出力インタフェース部４４、通信インタフェース部４５、入力装置４６、出力装置４７、二次記憶装置４８、システムバス４９、及び入出力バス５０等を有する。ＣＰＵ４１は、ＲＯＭ４２等に記憶されたプログラムを読み出して実行することにより、ＰＯＳレジ端末としての機能を実現する。当該プログラムは、抽出部３１や変換部３２を構成するプログラムを含んでもよい。
【００４８】
［システム構成（２）］
図３は、図１のＰＯＳシステムの機能ブロックの構成及び処理の流れを示す。テナント側のＰＯＳレジ端末２２は、テナントの店員の操作に基づいて、キーボード等の入力装置２３から、売上データ登録に対応したキー入力データｄ１（詳しくは後述の図５等）が入力される。なおキー入力データｄ１は、入力装置２３がスキャナ等の場合はスキャン入力データ等になる。ＰＯＳレジ端末２２の制御部２２０は、キー入力データｄ１から、テナント側の売上データＤ２を得てＰＯＳレジ端末２２内に登録する。また、ＰＯＳレジ端末２２の制御部２２０は、通信部２２１を介して、サーバ２１へ、売上データＤ２を送信する。サーバ２１は、受信した売上データＤ２をサーバ２１内に登録する。
【００４９】
ＰＯＳレジ端末２２の抽出部３１は、キー入力データｄ１から、デベロッパ側に必要なデータを抽出し、当該データを抽出データｄ２とする。変換部３２は、抽出データｄ２を、デベロッパ側のＰＯＳレジ端末１２の形式に合わせるように変換し、当該データを変換データｄ３とする。ＰＯＳレジ端末２２は、変換データｄ３を、通信部２２１から送信データｄ４として、デベロッパ側のＰＯＳレジ端末１２へ送信する。
【００５０】
デベロッパ側のＰＯＳレジ端末１２は、テナント側のＰＯＳレジ端末２２からの送信データｄ４を通信部１２１で受信する。ＰＯＳレジ端末１２の制御部１２０は、送信データｄ４の中身である変換データｄ３から、デベロッパ側の売上データＤ１を得てＰＯＳレジ端末１２内に登録する。ＰＯＳレジ端末１２は、売上データＤ１に対応する出力データｄ５を出力装置１４へ送り、これによりレシートを出力する。またＰＯＳレジ端末１２の制御部１２０は、売上データＤ２を、通信部１２１を介して、サーバ１１へ送信する。サーバ１１の制御部１１０は、受信した売上データＤ１を、サーバ１１内に登録する。
【００５１】
上記のように、テナント側のＰＯＳシステム及びデベロッパ側のＰＯＳシステムにそれぞれ売上データが登録される。なお、ＰＯＳレジ端末及びサーバの両方に売上データを登録する例を示しているが、一方のみの登録としてもよい。
【００５２】
［処理フロー］
図４は、実施の形態１のＰＯＳシステムにおける主な処理フローを示す。Ｓ１等は処理ステップを示す。
【００５３】
（Ｓ１）  実施の形態１のＰＯＳシステムは、予め管理者等により、システム情報が設定される。このシステム情報は、下記Ｓ３の抽出定義情報５１やＳ４の変換定義情報５２等である。抽出定義情報５１や変換定義情報５２は必要に応じて設定更新可能である。
【００５４】
（Ｓ２）  テナント側システム２のＰＯＳレジ端末２２は、キー入力データｄ１から、詳細情報を含むテナント側の売上データＤ２を得るデータ処理を行い、ＰＯＳレジ端末２２内またはサーバ２１内の少なくとも一方に登録する。
【００５５】
（Ｓ３）  ＰＯＳレジ端末２２の抽出部３１は、抽出定義情報５１を参照し、デベロッパ側の必要データを抽出して抽出データｄ２を得る処理を行う。抽出定義情報５１は、抽出処理の際の定義情報が設定されている。
【００５６】
なお上記抽出の方式としていくつか可能である。抽出方式Ａとして、抽出部３１は、キー入力データｄ１からそのまま所定の一部の情報を抽出する。実施の形態１は、抽出方式Ａを採用する。
【００５７】
抽出方式Ｂとして、抽出部３１は、キー入力データｄ１を一旦処理した後、当該処理済みのキー入力データｄ１から、所定の一部の情報を抽出する。抽出方式Ｂの処理例としては、キー入力データｄ１が商品単品の売上データである場合に、複数のキー入力データｄ１をまとめて商品群の単位の売上データを構成する処理が行われる。当該処理後に抽出処理が行われる。他の実施の形態として抽出方式Ｂを採用してもよい。
【００５８】
（Ｓ４）  ＰＯＳレジ端末２２の変換部３２は、変換定義情報５２を参照し、Ｓ３の抽出データｄ２を、テナント側のＰＯＳレジ端末２２の形式から、デベロッパ側のＰＯＳレジ端１２の形式に合わせるように、データを変換する処理を行う。変換定義情報５２は、変換処理の際の定義情報が設定されている。
【００５９】
なお上記変換の方式としていくつか可能である。変換方式Ａとして、変換部３２は、テナント側のＰＯＳレジ端末１２へデータを送信する前に、上記データの変換処理を行う。実施の形態１は、変換方式Ａを採用する。
【００６０】
変換方式Ｂとして、変換部３２は、デベロッパ側のＰＯＳレジ端末１２に設けられ、デベロッパ側でテナント側からのデータを受信した後に、上記データの変換処理を行う。他の実施の形態として変換方式Ｂを採用してもよい。
【００６１】
（Ｓ５）  ＰＯＳレジ端末２２の通信部２２１は、Ｓ４の変換データｄ３を、送信データｄ４として、デベロッパ側システム１のＰＯＳレジ端末１２へ送信する。
【００６２】
（Ｓ６）  デベロッパ側のＰＯＳレジ端末１２の通信部１２１は、上記送信データｄ４を受信し、送信データｄ４の中身である変換データｄ３から、デベロッパ側の売上データＤ１を得るデータ処理を行い、ＰＯＳレジ端末１２内またはサーバ１１内の少なくとも一方に登録する。
【００６３】
（Ｓ７）  ＰＯＳレジ端末１２は、売上データＤ１に対応した出力データｄ５を出力装置１４へ送り、これにより自動的にレシートを出力する。
【００６４】
［処理及びデータ構成例］
図５は、テナント側のＰＯＳレジ端末２２における抽出処理や変換処理、及びデータや情報の構成例、実装例などを示す。
【００６５】
実装例として、変換送信部３３は、変換部３２と通信部２２１とを一緒にしてマイコン等で実装した例である。他の実装例として、抽出部３１、変換部３２、及び通信部２２１等は、別々のマイコンや回路基板等で構成されて連携する形態としてもよい。また通信部２２１の回路基板の中の一部の機能として変換部３２等が実装されてもよい。
【００６６】
（１）  ＰＯＳレジ端末２２は、入力装置２３からキー入力データｄ１が入力される。キー入力データｄ１は、例えば商品単品のバーコードのスキャナによる読み取りや、キーボタン入力によるデータである。複数の商品の売上に応じて同様に複数のキー入力データｄ１が入力される。
【００６７】
キー入力データｄ１の構成例として、商品単品の個別売上データの場合を示す。この個別売上データは、データ項目として、ＪＡＮコード、商品区分、金額、顧客属性、日時、等を含む。ＪＡＮコードは当該商品を識別するコードである。商品区分は、当該商品の区分を示す情報であり、例えば衣料、食品、家電といった区分である。金額は、当該商品単品の売上金額を示す。顧客属性は、当該商品を購入した顧客の属性の情報であり、性別や年齢層等である。日時は、当該商品の売上の日時を示す。このキー入力データｄ１は、その他、テナントの事業者の必要に応じた詳細情報が含まれ得る。
【００６８】
（２）  キー入力データｄ１は、抽出の前のデータが、詳細情報を含む売上データＤ２として、ＰＯＳレジ端末２２やサーバ２１に登録される。ＰＯＳレジ端末２２やサーバ２１は、１つ以上のキー入力データｄ１をそのまま用いて、あるいは、簡単な計算処理を施して、売上データＤ２を得る。なおキー入力データｄ１の中には、売上の金額等、売上データＤ２を構成する情報が直接含まれているか、あるいは、簡単な計算処理により売上データＤ２を構成することができる情報が含まれている。
【００６９】
（３）  抽出部３１は、抽出定義情報５１を参照し、キー入力データｄ１から、デベロッパ側に必要なデータを抽出し、抽出データｄ２を得て、変換部３２に渡す。
【００７０】
抽出データｄ２の構成例として、商品単品の個別売上データの場合を示す。この抽出データｄ２は、データ項目として、ＪＡＮコード、商品区分、及び金額が含まれるデータである。即ち、この抽出データｄ２は、キー入力データｄ１から、デベロッパ側には不要なデータ項目である顧客属性等の情報を取り除いた内容である。
【００７１】
抽出定義情報５１の構成例を併せて示す。抽出定義情報５１は、抽出すべきデータを示す抽出データ項目として、ＪＡＮコード、商品区分、及び金額の３つが設定されている。これら３つのデータ項目は、デベロッパ側で必要な商品コード、部門コード、及び金額の３つのデータ項目に対応している。これらのデータ項目の対応関係は、抽出定義情報５１または変換定義情報５２の少なくとも一方で設定されている。抽出定義情報５１は、抽出データ項目ではなく、デベロッパ側の必要データ項目が対応関係情報と共に設定されてもよい。
【００７２】
（４）  変換部３２は、変換定義情報５２を参照し、テナント側のキー入力インタフェース等の形式のデータである抽出データｄ２を、デベロッパ側のキー入力インタフェース等の形式に合せるように変換し、変換データｄ３を得て、通信部２２１に渡す。
【００７３】
変換データｄ３の構成例として、商品単品の個別売上データの場合を示す。この変換データｄ３は、データ項目として、商品コード、部門コード、及び金額が含まれるデータである。
【００７４】
変換定義情報５２の構成例を併せて示す。変換定義情報５２は、デベロッパ側のＰＯＳシステムの形式の情報と、テナント側のＰＯＳシステムの形式の情報とが設定されている。例えば、デベロッパ側のＰＯＳレジ端末１２のインタフェースがＵＳＢ（Universal Serial Bus）であり、テナント側のＰＯＳレジ端末２２のインタフェースが非ＵＳＢである。ＵＳＢは、一般的なキー入力用デバイスインタフェースである。非ＵＳＢは、例として、ＰＯＳレジ端末２２のメーカ及び型式に特有のインタフェース等である。即ち変換部３２は、キー入力データないし売上データを、非ＵＳＢの形式からＵＳＢの形式へ変換する。
【００７５】
また変換定義情報５２は、各データの変換のための対応関係の情報が設定されている。例えば、ＪＡＮコードと商品コードとが対応関係であり、ＪＡＮコードを商品コードへ変換すべきことが設定されている。同様に、商品区分と部門コードとが対応関係であり、商品区分を部門コードへ変換すべきことが設定されている。対応関係の情報は、例えばテーブルで設定され、データＡをデータＢへ変換し、データＣをデータＤへ変換するといった個別のデータ間の変換の定義が設定される。
【００７６】
（５）  ＰＯＳレジ端末２２の通信部２２１は、上記変換データｄ３を送信データｄ４として通信手段３を介してデベロッパ側のＰＯＳレジ端末１２へ送信する。通信部２２１は、例えばデベロッパ側の通信インタフェースに合わせて通信接続し、送信データｄ４の送信処理を行う。テナント側のＰＯＳレジ端末２２とデベロッパ側のＰＯＳレジ端末１２とで元々の通信インタフェースが異なる場合、両者間で通信可能なように、通信部１２１または通信部２２１に機能が実装される。また通信部２２１は、複数の変換データｄ３をまとめて、即ち商品群の単位のデータとして、ＰＯＳレジ端末１２へ送信してもよい。
【００７７】
（６）  その後、デベロッパ側のＰＯＳレジ端末１２の出力装置１４から自動的に売上データＤ１に対応したレシートが出力される。なおシステム情報の設定に応じて、レシートの出力を自動的には行わないようにもできる。この場合、例えばデベロッパ側のＰＯＳレジ端末１２は、売上データＤ２を登録した後、一旦待機し、店員等によるレシート出力の指示が入力されると、当該レシートを出力する。
【００７８】
［作業及びシーケンス］
図６は、実施の形態１のＰＯＳシステムにおける利用時の作業を示す。デベロッパによるショッピングセンター等の施設において、第１テナント店舗、第２テナント店舗、等の複数のテナントを含む。第１テナント店舗は、デベロッパ側のＰＯＳレジ端末１２と、テナント側の１台以上のＰＯＳレジ端末２２とが設置されている。テナント側のＰＯＳレジ端末２２は、１台以上が設置されている。
【００７９】
テナントの店員は、顧客の商品購買の会計の際、まずテナント側のＰＯＳレジ端末２２で金銭授受及びドロワ管理をしつつ、詳細情報を含む売上データ登録を行う。これに基づいて、テナント側のＰＯＳレジ端末２２からデベロッパ側のＰＯＳレジ端末１２へ必要なデータが自動的に送信され、デベロッパ側のＰＯＳレジ端末１２で売上データ登録が行われ、対応するレシートが出力される。第２テナント店舗も第１テナント店舗と同様の構成であり同様の作業が行われる。
【００８０】
図７は、図６に対応した、実施の形態１のＰＯＳシステムの動作及び処理のシーケンスを示す。S201等はステップを表す。
【００８１】
（S201）  まずテナント側システム２のＰＯＳレジ端末２２において、テナントの店員の手動の操作により、入力装置２３から、売上データに対応するキー入力データｄ１が入力される。
【００８２】
（S202）  テナント側のＰＯＳレジ端末２２は、キー入力データｄ１に基づいて、テナント側の売上データＤ２を登録するデータ処理を行う。
【００８３】
（S203）  テナント側のＰＯＳレジ端末２２は、抽出部３１による抽出処理により抽出データｄ２を得る。
【００８４】
（S204）  テナント側のＰＯＳレジ端末２２は、変換部３２による変換処理により変換データｄ３を得る。
【００８５】
（S205）  テナント側のＰＯＳレジ端末２２は、通信部２２１により変換データｄ３を送信データｄ４としてデベロッパ側のＰＯＳレジ端末１２へ送信する。デベロッパ側のＰＯＳレジ端末１２は、通信部１２１により送信データｄ４を受信して変換データｄ３を得る。
【００８６】
（S206）  デベロッパ側のＰＯＳレジ端末１２は、変換データｄ３から、デベロッパ側の売上データＤ１を得て登録するデータ処理を行う。
【００８７】
（S207）  デベロッパ側のＰＯＳレジ端末１２は、売上データＤ１に対応したレシートを出力する。
【００８８】
上記のように、実施の形態１のＰＯＳシステムは、テナント側のＰＯＳレジ端末２２で売上データ入力の作業が１回で済み、自動的にテナント側及びデベロッパ側の両方の売上データ登録及びレシート出力までが完了する。
【００８９】
なおテナント側の複数台のＰＯＳレジ端末２２が存在する場合、それぞれ、図１と同様に抽出部３１等を備える構成としてもよく、その場合、いずれのＰＯＳレジ端末２２でもデベロッパ側への売上データ登録が可能である。また、複数台のＰＯＳレジ端末２２のうち１台の特定のＰＯＳレジ端末２２のみに抽出部３１等を備える構成としてもよい。その場合、他のＰＯＳレジ端末２２からは特定のＰＯＳレジ端末２２へ売上データ相当を送信し、特定のＰＯＳレジ端末２２でまとめて抽出や変換等の処理を行い、デベロッパ側システムへデータを送信して売上データを登録するようにしてもよい。
【００９０】
［効果等］
以上説明したように、実施の形態１のＰＯＳシステムによれば、デベロッパ及びテナントを含む事業者を対象としたＰＯＳシステムに関して、二重のデータ入力及び登録の手間を削減でき、時間を短縮でき、人的なミスを低減でき、効率的な管理を実現できる。実施の形態１によれば、デベロッパ側及びテナント側のＰＯＳシステムの両者への二重のデータ登録を不要にできる。実施の形態１によれば、各ＰＯＳレジ端末で売上データ等を入力しなければならない手間及び冗長性を削減できる。テナント店員等の人は、１台のＰＯＳレジ端末２２へのデータ入力の作業のみで済むので、手間が大幅に削減でき、時間を短縮できる。
【００９１】
実施の形態１のＰＯＳシステムは、基本的に、テナント側システム２の１つのＰＯＳレジ端末２２へのデータ入力のみによって、デベロッパ側及びテナント側の両者への売上データ登録が可能である。実施の形態１のＰＯＳシステムは、テナント側のＰＯＳレジ端末２２で、データの抽出、変換、及び送信等の処理を順に行う。テナント側のＰＯＳレジ端末２２を介してデベロッパ側のＰＯＳレジ端末１２へ自動的に必要な売上データの送信及び登録が行われ、ＰＯＳレジ端末１２からのレシートの出力までが自動的に完了する。これにより、あたかも、デベロッパ側への必要な売上データの登録とテナント側への必要な売上データの登録との両方が行われたことと同様のことが、少ない手間で実現される。
【００９２】
また実施の形態１によれば、テナント側のＰＯＳシステムへのデータ入力のみで済むので、データ入力時の打ち間違い等の人的なミスの可能性を低減できる。これによりデベロッパ側及びテナント側の両者の登録データの違いや矛盾等を防止できるので、データ修正の可能性も低減できる。また実施の形態１によれば、デベロッパによるテナントの売上確認も確保でき、デベロッパはテナントの売上等を正しく把握でき、テナントへの賃貸料等を正しく算出できる。
【００９３】
＜実施の形態２＞
図８を用いて、本発明の実施の形態２のＰＯＳシステムについて説明する。実施の形態２のＰＯＳシステムは、実施の形態１との違いとして、テナント側システム２においてサーバ２１に抽出部３１及び変換部３２を備え、テナント側のサーバ２１からデベロッパ側のサーバ１１へデータを送信する。ＰＯＳレジ端末２２には抽出部３１及び変換部３２を備えない。
【００９４】
また実装例として、サーバ２１は、抽出部３１及び変換部３２を含んだ抽出変換部３４を備える。抽出変換部３４は、前述の抽出処理及び変換処理をまとめて行う。抽出変換部３４は、サーバ２１の制御部２１０のプログラム処理により実現されてもよい。
【００９５】
図８で実施の形態２における処理の流れは以下である。テナント側のＰＯＳレジ端末２２において、入力装置２３からのキー入力データｄ１が制御部２２０に入力され、通信部２２１から当該キー入力データｄ１をサーバ２１へ送信する。サーバ２１は、通信部２１１でキー入力データｄ１を受信する。サーバ２１の制御部２１０は、キー入力データｄ１から、テナント側の売上データＤ２を得てサーバ２１内に登録する。
【００９６】
サーバ２１の抽出変換部３４の抽出部３１は、キー入力データｄ１から、デベロッパ側の必要なデータを抽出して抽出データｄ２を得る。抽出変換部３４の変換部３２は、抽出データｄ２を、デベロッパ側の形式に合わせて変換し、変換データｄ３を得る。サーバ２１は、売上データＤ２を、通信部２１１から、ＰＯＳレジ端末２２へ送信する。ＰＯＳレジ端末２２の制御部２２０は、サーバ２１から受信した売上データＤ２をＰＯＳレジ端末２２内に登録する。
【００９７】
また一方、サーバ２１は、上記変換データｄ３を、通信部２１１から、送信データｄ４として、デベロッパ側のサーバ１１へ通信手段３を介して送信する。デベロッパ側のサーバ１１は、通信部１１１でテナント側からのデータを受信して変換データｄ３を取り出す。サーバ１１の制御部１１０は、変換データｄ３から、デベロッパ側の売上データＤ１を得て、サーバ１１内に登録する。
【００９８】
サーバ１１は、通信部１１１から売上データＤ１をＰＯＳレジ端末１２へ送信する。ＰＯＳレジ端末１２は、サーバ１１から受信した売上データＤ１を、ＰＯＳレジ端末１２内に登録し、対応する出力データｄ５を出力装置１４へ送ってレシートを出力する。
【００９９】
上記のように、実施の形態２においても、テナント側システム２でデータ入力の作業を行うことで、テナント側システム２及びデベロッパ側システム１の両方で売上データ登録を行うことができる。
【０１００】
＜実施の形態３＞
図９を用いて、本発明の実施の形態３のＰＯＳシステムについて説明する。実施の形態３のＰＯＳシステムは、実施の形態１との違いとして、デベロッパ側システム１のＰＯＳレジ端末１２に、抽出部３１及び変換部３２を備える。テナント側システム２のＰＯＳレジ端末２２には抽出部３１及び変換部３２を備えない。
【０１０１】
図９で実施の形態３における処理の流れは以下である。デベロッパ側のＰＯＳレジ端末１２において、入力装置１３からのキー入力データｄ１が制御部１２０に入力される。制御部１２０は、キー入力データｄ１からデベロッパ側の売上データＤ１を得てＰＯＳレジ端末１２内に登録する。また制御部１２０は、通信部１２１から売上データＤ１をサーバ１１へ送信する。サーバ１１は、売上データＤ１を受信し、制御部１１０は、売上データＤ２をサーバ１１内に登録する。また制御部１２０は、売上データＤ１に対応する出力データｄ５を出力装置１４へ送り、レシートを出力する。
【０１０２】
一方、ＰＯＳレジ端末１２の抽出部３１は、キー入力データｄ１から、テナント側の必要なデータを抽出して抽出データｄ２を得る。変換部３２は、抽出データｄ２を、テナント側の形式に合わせて変換し、変換データｄ３を得る。ＰＯＳレジ端末１２は、変換データｄ３を、通信部１２１から、送信データｄ４として、テナント側のＰＯＳレジ端末２２へ送信する。
【０１０３】
テナント側のＰＯＳレジ端末２２は、通信部２２１でデータを受信して変換データｄ３を得る。制御部２２０は、変換データｄ３から、テナント側の売上データＤ１を得てＰＯＳレジ端末２２内に登録する。また制御部２２０は、売上データＤ１を、通信部２２１を介してサーバ２１へ送信する。サーバ２１は、売上データＤ１を受信し、サーバ２１内に登録する。
【０１０４】
上記のように、実施の形態３において、実施の形態１とは逆に、デベロッパ側システム１でデータ入力の作業を行うことで、デベロッパ側システム１及びテナント側システム２の両方で売上データ登録を行うことができる。
【０１０５】
＜実施の形態４＞
実施の形態４のＰＯＳシステムとして以下が可能である。図示しない実施の形態４のＰＯＳシステムは、実施の形態１との違いとして、テナント側システム２においてＰＯＳレジ端末２２に抽出部３１を備え、デベロッパ側システム１のＰＯＳレジ端末１２に変換部３２を備える。テナント側のＰＯＳレジ端末２２からデベロッパ側のＰＯＳレジ端末１２へデータを送信する。
【０１０６】
実施の形態４における処理の流れは以下である。入力装置２３からのキー入力データｄ１がＰＯＳレジ端末２２の制御部２２０に入力される。制御部２２０は、キー入力データｄ１から売上データＤ２を得てＰＯＳレジ端末２２内に登録する。抽出部３１は、キー入力データｄ１からデベロッパ側の必要なデータを抽出し抽出データｄ２を得る。ＰＯＳレジ端末２２は、抽出データｄ２を、通信部２２１から送信データｄ４としてデベロッパ側のＰＯＳレジ端末１２へ送信する。ＰＯＳレジ端末２２は更に売上データＤ２をサーバ２１へ送信してサーバ２１内に登録させてもよい。
【０１０７】
デベロッパ側のＰＯＳレジ端末１２は、通信部１２１で受信した抽出データｄ２を、変換部３２で変換し、変換データｄ３を得る。制御部１２０は、変換データｄ３から売上データＤ１を得てＰＯＳレジ端末１２内に登録する。ＰＯＳレジ端末１２は、売上データＤ１に対応する出力データｄ５を出力装置１４へ送ってレシートを出力する。ＰＯＳレジ端末１２は更に売上データＤ１をサーバ１１へ送信してサーバ１１内に登録させてもよい。
【０１０８】
上記のように、実施の形態４においても、実施の形態１等と同様の効果が得られる。実施の形態１〜４の構成に限らず、実施の形態１〜４の組合せによる構成、抽出部３１や変換部３２を様々な箇所に配置した構成が可能である。
【０１０９】
以上、本発明を実施の形態に基づき具体的に説明したが、本発明は前記実施の形態に限定されず、その要旨を逸脱しない範囲で種々変更可能である。
【産業上の利用可能性】
【０１１０】
本発明は、ＰＯＳシステムに利用可能である。
【符号の説明】
【０１１１】
１…デベロッパ側システム、２…テナント側システム、３…通信手段、１１…サーバ、１２…ＰＯＳレジ端末、１３…入力装置、１４…出力装置、２１…サーバ、２２…ＰＯＳレジ端末、２３…入力装置、２４…出力装置、３１…抽出部、３２…変換部。
【図１】
2015114886.tif 000003
【図２】
2015114886.tif 000004
【図３】
2015114886.tif 000005
【図４】
2015114886.tif 000006
【図５】
2015114886.tif 000007
【図６】
2015114886.tif 000008
【図７】
2015114886.tif 000009
【図８】
2015114886.tif 000010
【図９】
2015114886.tif 000011
【図１０】
2015114886.tif 000012
【図１１】
2015114886.tif 000013